(57)【要約】【課題】加熱用回転体を局所加熱する加熱装置及び前記加熱装置を備えた画像形成装置において、画質、騒音を悪化させることなく、ファーストプリントアウトタイムの短縮を図る。【解決手段】待機モードにおいて第１の回転体１０と第２の回転体３０を離間した状態で前記第1の回転体の温度制御をおこなう。装置立上げモードにおいて待機モードによる第１の回転体の温度が未定着像ｔの加熱定着可能温度へ移行する際の前記第１の回転体の回転速度と、ニップ部Ｎで被加熱材Ｐを挟持搬送するときの回転速度と異なるように第１の回転体の回転をおこなう。【選択図】図１
2007057672.tif 000002
【特許請求の範囲】
【請求項１】
加熱手段と、前記加熱手段により加熱される第１の回転体と、前記第１の回転体と圧接してニップ部を形成する第２の回転体と、を有し、未定着像を形成担持させた被記録材を前記ニップ部で挟持搬送しつつ被記録材に未定着像を加熱定着する像加熱装置において、
前記第１の回転体と前記第２の回転体を離間した状態で前記第1の回転体の温度制御をおこなう待機モードと、
前記待機モードによる前記第１の回転体の温度が未定着像の加熱定着可能温度へ移行する際の前記第１の回転体の回転速度が、前記ニップ部で被加熱材を挟持搬送するときの回転速度と異なるように前記第１の回転体の回転をおこなう装置立上げモードと、を有することを特徴とする像加熱装置。
【請求項２】
前記第２の回転体を加熱するための第２の加熱手段を有し、前記待機モードにおいて前記第２の回転体の温度制御をおこなうことを特徴とする請求項１に記載の像加熱装置。
【請求項３】
前記装置立上げモードにおける前記第１の回転体の回転速度が、前記ニップ部で被記録材を挟持搬送するときの回転速度よりも速いことを特徴とする請求項１または請求項２に記載の像加熱装置。
【請求項４】
前記装置立上げモードにおいて、前記第１の回転体と前記第２の回転体を離間したまま第１の回転体を回転駆動し、前記第１の回転体の温度が所定温度に到達した後、前記第１の回転体と前記第２の回転体を当接することを特徴とする請求項１または請求項２に記載の像加熱装置。
【請求項５】
前記待機モードにおいて、前記第１の回転体は連続回転停止状態で温度制御されることを特徴とする請求項１に記載の像加熱装置。
【請求項６】
前記第１の回転体は、所定時間周期で所定角度のみ回転する待機状態を有することを特徴とする請求項１に記載の像加熱装置。
【請求項７】
前記加熱手段は、前記第１の回転体の円周の前記定着ニップ以外の一部を局所的に加熱または発熱させるものであることを特徴とする請求項１に記載の像加熱装置。
【請求項８】
前記加熱手段は、磁場発生手段の磁場の作用で前記第１の回転体を電磁誘導発熱させるものであることを特徴とする請求項１に記載の像加熱装置。
【請求項９】
前記磁場発生手段が前記第１の回転体の外部に設けられたことを特徴とする請求項８に記載の像加熱装置。
【請求項１０】
前記加熱手段は、基板と、基板上に配置された抵抗発熱体と、を有する加熱体であり、前記ニップ部において前記第１の回転体に内側より接触して前記第１の回転体を加熱することを特徴とする請求項１に記載の像加熱装置。
【請求項１１】
被記録材に未定着像を形成する画像形成手段と、前記画像形成手段により被記録材上に形成した未定着像を加熱処理する像加熱装置とを具備する画像形成装置において、
前記像加熱装置として請求項１乃至請求項１０の何れか１項に記載の像加熱装置を備えたことを特徴とする画像形成装置。
【発明の詳細な説明】
【技術分野】
【０００１】
本発明は、被記録材に形成担持させた未定着像を加熱定着処理する像加熱装置に関し、特に複写機やプリンタ等の画像形成装置に搭載される加熱定着装置として用いれば有効な像加熱装置、および該像加熱装置を具備する画像形成装置に関するものである。
【背景技術】
【０００２】
従来、電子写真方式、静電記録方式を採用する画像形成装置に具備される加熱定着装置（以下、加熱装置と記す）においては、未定着トナー像を担持した被記録材（転写シート・エレクトロファックスシート・静電記録紙・ＯＨＰシート・印刷用紙・フォーマット紙など）を、互いに圧接して回転する定着ローラと加圧ローラとで形成されるニップ部を通過させることにより未定着トナー像を被記録材上に永久画像として定着させる、いわゆる熱ローラ方式の加熱装置が広く用いられている。
【０００３】
また近時は、省エネルギー化やウェイトタイムの短縮化等を図るうえで有利なフィルム加熱方式（特許文献１）の加熱装置が実用化されている。また定着フィルムに弾性層を設けカラー画像の高画質化を図ったカラーオンデマンドタイプの加熱装置（特許文献２）が提案されている。同様に電磁誘導加熱方式（特許文献３）の加熱装置も提案されている。また、磁場発生手段を電磁誘導発熱性部材の外部に配置した電磁誘導外部加熱方式（特許文献４）の加熱装置も提案されている。これらの方式の加熱装置では、加熱装置が所定のプリント温度（スタンバイ温度）に昇温するまでの時間を短縮するため、プリント待機状態（スタンバイ状態）で第１の回転体としての加熱ローラや加熱フィルムを所定温度でスタンバイ温調しクイックスタート性を向上させる方法が広く用いられている。
【０００４】
熱ローラ方式の加熱装置において、加熱ローラを回転駆動させず、加圧ローラと当接したままプリント待機状態を続けると、加圧ローラ当接位置（ニップ部位置）の加熱ローラ温度が低下し、加熱ローラ周方向に温度ムラが発生する。プリント開始時にこの温度ムラが残っていると、トナー像にグロスムラ（光沢ムラ）ができてしまう。この問題を回避するため、プリント待機中は加熱ローラと加圧ローラを離間する加熱装置がある。加熱ローラと加圧ローラを離間してプリント待機すれば、加圧ローラへの熱流出に起因する加熱ローラの温度ムラは防止することができる。
【０００５】
しかしながら、従来より一般的に用いられているハロゲンヒータ（加熱手段）を用いた熱ローラ方式の加熱装置のように定着ローラ全体を均一に加熱する場合以外の加熱装置、すなわち加熱（定着）ローラ、加熱（定着）ベルト、フィルム等の定着部材を局所的に加熱する方式の加熱装置では以下の問題があった。すなわち上記スタンバイ温調時に、第１の回転体としての定着部材と第２の回転体としての加圧ローラを離間しても、定着部材周方向に局所加熱による温度ムラができてしまい、プリント開始までに温度ムラを無くすことができず、出力画像に光沢（グロス）ムラが発生することがあった。
【０００６】
これを回避するため、プリント待機状態では定着部材を回転駆動させつつスタンバイ温調する加熱装置がある。また空回転による定着部材の表層削れや機械ストレスによる耐久寿命低下を避けるため、上記スタンバイ温調時には定着部材と加圧ローラを離間して回転駆動をおこなう加熱装置もある。
【０００７】
しかしながら定着部材を待機状態で常時回転させておくのは、寿命、騒音の観点から好ましくない。
【０００８】
また、このような問題を避けるため回転停止で低電力スタンバイ温調をおこない、一定時間周期で定着部材を所定角度のみ回転（クリック回転）させる加熱装置がある（特許文献５）。この加熱装置ではクリック回転による定着部材の局所加熱のスタンバイ温調による耐久寿命低下や、加熱ローラ周方向の温度ムラを改善することができる。
【特許文献１】特開昭６３−３１３１８２号公報
【特許文献２】特開平１１−１５３０３号公報（特許第３０５１０８５号）
【特許文献３】実開昭５１−１０９７３６号公報
【特許文献４】特開平１１−１３５２４６号公報
【特許文献５】特開２００２−４３０４８号公報
【発明の開示】
【発明が解決しようとする課題】
【０００９】
本発明は、上記特許文献５の加熱装置の技術をさらに改善したものである。
【００１０】
そこで本発明の目的は、加熱用回転体を局所加熱する像加熱装置において、耐久寿命や騒音、画像品位を悪化させることなく、ファーストプリントアウトタイム（プリント待機状態から１枚の被記録材が排出されるまでの時間（ＦＰＯＴ））を短縮することにある。
【００１１】
また本発明の目的は、前記像加熱装置を備える画像形成装置を提供することにある。
【課題を解決するための手段】
【００１２】
本発明に係る像加熱装置の代表的な構成は、加熱手段と、前記加熱手段により加熱される第１の回転体と、前記第１の回転体と圧接してニップ部を形成する第２の回転体と、を有し、未定着像を形成担持させた被記録材を前記ニップ部で挟持搬送しつつ被記録材に未定着像を加熱定着する像加熱装置において、前記第１の回転体と前記第２の回転体を離間した状態で前記第1の回転体の温度制御をおこなう待機モードと、前記待機モードによる前記第１の回転体の温度が未定着像の加熱定着可能温度へ移行する際の前記第１の回転体の回転速度が、前記ニップ部で被加熱材を挟持搬送するときの回転速度と異なるように前記第１の回転体の回転をおこなう装置立上げモードと、を有することを特徴とする像加熱装置、である。
【００１３】
本発明に係る画像形成装置の代表的な構成は、被記録材に未定着像を形成する画像形成手段と、前記画像形成手段により被記録材上に形成した未定着像を加熱処理する像加熱装置とを具備する画像形成装置において、前記像加熱装置として上記の像加熱装置を備えたことを特徴とする画像形成装置、である。
【発明の効果】
【００１４】
本発明によれば、待機モードにおいて第１の回転体と第２の回転体を離間した状態で前記第1の回転体の温度制御をおこなうので、各回転体の耐久寿命を向上でき、騒音の発生を低減できる。また装置立上げモードにおいては待機モードによる第１の回転体の温度が未定着像の加熱定着可能温度へ移行する際の前記第１の回転体の回転速度と、ニップ部で被加熱材を挟持搬送するときの回転速度と異なるように第１の回転体の回転をおこなうので、局所加熱でスタンバイ温調により発生した第１の回転体の温度ムラを従来よりも短時間で収束させることができる。これにより画像不良の発生を抑制しつつファーストプリントアウトタイムを短縮することができる。
【発明を実施するための最良の形態】
【００１５】
以下、本発明を図面に基づいて詳しく説明する。
【実施例１】
【００１６】
（１）画像形成装置例
図１４は本発明に係る像加熱装置を加熱装置（加熱定着装置）として具備させた画像形成装置の一例の概略構成図である。本例の画像形成装置は電子写真カラープリンタである。
【００１７】
１０１は有機感光体やアモルファスシリコン感光体でできた感光体ドラム（像担持体）であり、矢示の反時計方向に所定のプロセススピード（周速度）で回転駆動される。感光体ドラム１０１はその回転過程で帯電ローラ等の帯電装置１０２で所定の極性・電位の一様な帯電処理を受ける。
【００１８】
次いでその帯電処理面にレーザ光学箱（レーザスキャナー）１１０から出力されるレーザ光１０３による、目的の画像情報の走査露光処理を受ける。レーザ光学箱１１０は不図示の画像読み取り装置等の画像信号発生装置からの目的画像情報の時系列電気デジタル画素信号に対応して変調（オン／オフ）したレーザ光１０３を出力して回転感光体ドラム１０１面に走査露光した目的画像情報に対応した静電潜像が形成される。１０９はレーザ光学箱１１０からの出力レーザ光を感光体ドラム１０１の露光位置に偏向させるミラーである。
【００１９】
フルカラー画像形成の場合は、目的のフルカラー画像の第１の色分解成分画像、例えばイエロー成分画像についての走査露光・潜像形成がなされ、その潜像が４色カラー現像装置１０４のうちのイエロー現像器１０４Ｙの作動でイエロートナー画像として現像される。そのイエロートナー画像は感光体ドラム１０１と中間転写体ドラム１０５との接触部（或いは近接部）である１次転写部Ｔ１において中間転写体ドラム１０５の面に転写される。
【００２０】
中間転写体ドラム１０５面に対するトナー画像転写後の回転感光体ドラム１０１面はクリーナ１０７により転写残りトナー等の付着残留物の除去を受けて清掃される。
【００２１】
上記のような帯電・走査露光・現像・一次転写・清掃のプロセスサイクルが、目的のフルカラー画像の第２の色分解成分画像（例えばマゼンタ成分画像、マゼンタ現像器１０４Ｍが作動）、第３の色分解成分画像（例えばシアン成分画像、シアン現像器１０４Ｃが作動）、第４の色分解成分画像（例えば黒成分画像、黒現像器１０４ＢＫが作動）の各色分解成分画像について順次実行され、中間転写体ドラム１０５面にイエロートナー画像・マゼンタトナー画像・シアントナー画像・黒トナー画像の都合４色のトナー画像が順次重ねて転写されて、目的のフルカラー画像に対応したカラートナー画像が合成形成される。
【００２２】
中間転写体ドラム１０５は、金属ドラム上に中抵抗の弾性層と高抵抗の表層を有するもので、感光体ドラム１０１に接触して或いは近接して感光体ドラム１０１と略同じ周速度で矢示の時計方向に回転駆動され、中間転写体ドラム１０５の金属ドラムにバイアス電位を与えて感光体ドラム１０１との電位差で感光体ドラム１０１側のトナー画像を前記中間転写体ドラム１０５面側に転写させる。
【００２３】
上記の回転中間転写体ドラム１０５面に合成形成されたカラートナー画像は、前記回転中間転写体ドラム１０５と転写ローラ１０６との接触ニップ部である二次転写部Ｔ２において、前記二次転写部Ｔ２に不図示の給紙部から所定のタイミングで送り込まれた被記録材Ｐの面に転写されていく。転写ローラ１０６は被記録材Ｐの背面からトナーと逆極性の電荷を供給することで中間転写体ドラム１０５面側から被記録材Ｐ側へ合成カラートナー画像を順次に一括転写する。
【００２４】
二次転写部Ｔ２を通過した被記録材Ｐは中間転写体ドラム１０５の面から分離されて加熱定着装置１００へ導入され、未定着トナー画像の加熱定着処理を受けてカラー画像形成物として機外の不図示の排紙トレーに排出される。加熱装置１００については次の（２）項で詳述する。
【００２５】
被記録材Ｐに対するカラートナー画像転写後の回転中間転写体ドラム１０５はクリーナ１０８により転写残りトナー・紙粉等の付着残留物の除去を受けて清掃される。このクリーナ１０８は常時は中間転写体ドラム１０５に非接触状態に保持されており、中間転写体ドラム１０５から被記録材Ｐに対するカラートナー画像の二次転写実行過程において中間転写体ドラム１０５に接触状態に保持される。
【００２６】
また転写ローラ１０６も常時は中間転写体ドラム１０５に非接触状態に保持されており、中間転写体ドラム１０５から被記録材Ｐに対するカラートナー画像の二次転写実行過程において中間転写体ドラム１０５に被記録材Ｐを介して接触状態に保持される。
【００２７】
本例装置は、白黒画像などモノカラー画像のプリントモードも実行できる。また両面画像プリントモード、或いは多重画像プリントモードも実行できる。
【００２８】
両面画像プリントモードの場合は、加熱装置１００を出た１面目画像プリント済みの被記録材Ｐは不図示の再循環搬送機構を介して表裏反転されて再び二次転写部Ｔ２へ送り込まれて２面に対するトナー画像転写を受け、再度、加熱装置１００に導入されて２面に対するトナー画像の定着処理を受けることで両面画像プリントが出力される。
【００２９】
多重画像プリントモードの場合は、加熱装置１００を出た１回目画像プリント済みの被記録材Ｐは不図示の再循環搬送機構を介して表裏反転されずに再び二次転写部Ｔ２へ送り込まれて１回目画像プリント済みの面に２回目のトナー画像転写を受け、再度、加熱装置１００に導入されて２回目のトナー画像の定着処理を受けることで多重画像プリントが出力される。
【００３０】
（２）加熱装置１００
本例において加熱装置１００は電磁誘導加熱方式の加熱装置である。図１は本例の加熱装置１００の要部の横断側面模型図、図２は要部の正面模型図である。
【００３１】
以下の説明において、長手方向とは被記録材搬送方向に直交（交差）する方向で、かつ被記録材の面と平行な方向をいう。
【００３２】
本例装置１００は、第１の回転体としての電磁誘導発熱性の円筒状の定着ローラ１０と、定着ローラ１０の内部に配置された加熱手段としての磁場発生手段２０と、定着ローラ１０と圧接してニップ部（定着ニップ部、加熱ニップ部）Ｎを形成する第２の回転体としての加圧ローラ３０とを基本構成とする、定着ローラ駆動方式・電磁誘導加熱方式の加熱装置である。
【００３３】
磁場発生手段２０は、横断面略Ｔ字形状の磁性コア１７ａ・１７ｂ・１７ｃと、中央の磁性コア１７ａの周りに船底型に巻回された励磁コイル１８と、を有する。磁性コア１７ａ・１７ｂ・１７ｃは高透磁率の部材であり、フェライトやパーマロイ等といったトランスのコアに用いられる材料がよく、より好ましくは１００ｋＨｚ以上でも損失の少ないフェライトを用いるのがよい。
【００３４】
１６は横断面略半円弧状樋型のホルダであり、磁場発生手段２０としての磁性コア１７ａ・１７ｂ・１７ｃと励磁コイル１８を内側に保持している。ホルダ１６の外側には空隙をもって円筒状の電磁誘導性発熱回転体である定着ローラ１０が回転可能に配設してある。
【００３５】
１９は磁性コア１７ａ・１７ｂ・１７ｃ及び励磁コイル１８と保持ステイ２２との間を絶縁するための絶縁部材である。絶縁部材１９とホルダ１６は保持ステイ２２に保持されている。そして保持ステイ２２の長手方向両端が定着フレーム５０に固定支持されている。保持ステイ２２の材質としては鉄、アルミニウム、ステンレス、非磁性ステンレスなどの金属材料を用いることができる。また、絶縁部材１９とホルダ１６を保持できればよく、耐熱性樹脂で代用することもできる。なお、保持ステイ２２を設けずにホルダ１６を定着フレーム５０で支持する構成でも良い。
【００３６】
磁場発生手段２０において励磁コイル１８は図３に示すように給電部１８ａ・１８ｂに励磁回路２７を接続してあり、２０ｋＨｚから５００ｋＨｚの高周波をスイッチング電源で発生できるようになっている。励磁コイル１８は励磁回路２７から供給される交番電流（高周波電流）によって交番磁束を発生する。Ｃは交番磁束であり、発生した交番磁束の一部を表す。磁性コア１７ａ，１７ｂ，１７ｃに導かれた交番磁束（以下、磁束と記す）Ｃは、磁性コア１７ａと磁性コア１７ｂとの間、そして磁性コア１７ａと磁性コア１７ｃとの間において定着ローラ１０の発熱層１に渦電流を発生させる。この渦電流は、発熱層１の固有抵抗によって、発熱層１にジュール熱（渦電流損）を発生させる。
【００３７】
発熱量Ｑは発熱層１を通る磁束Ｃの密度によって決まり、図５（Ａ）のグラフような分布を示す。グラフの縦軸は磁性コア１７ａの中心を０とした角度θで表した定着ローラ１０における円周方向の位置を示し、横軸は定着ローラ１０の発熱層１での発熱量Ｑを示す。ここで、発熱域Ｈは最大発熱量をＱとし、発熱量がＱ／ｅ以上の領域と定義する（ｅは自然対数の底）。これは、定着プロセスに必要な発熱量が得られる領域である。
【００３８】
図４は、本実施形態例における定着ローラ１０の層構成模型図である。
【００３９】
本実施例の定着ローラ１０は、芯金となる電磁誘導発熱性の金属等でできた発熱層１と、その外面に積層した弾性層２と、その外面に積層した離型層３の複合構造のものである。発熱層１と弾性層２との間の接着、弾性層２と離型層３との間の接着のために、各層間にプライマー層（図示せず）を設けてもよい。
【００４０】
定着ローラ１０において、発熱層１が内面側（ホルダ１６側）であり、離型層３が加圧ローラ３０若しくは被記録材Ｐと接触する外面側である。この発熱層１に上述した交番磁束が作用することにより、発熱層１に渦電流が発生して発熱層１が発熱する。この熱が弾性層２、離型層３に伝達されて、定着ローラ１０全体が加熱され、定着ニップ部Ｎに通紙（導入）される被記録材Ｐを加熱して未定着トナーｔ画像の加熱定着がなされる。
【００４１】
発熱層１としては、磁性及び非磁性の金属を用いることができるが、磁性金属が好ましく用いられる。このような磁性金属としては、ニッケル、鉄、強磁性ステンレス、ニッケル−コバルト合金、パーマロイといった強磁性体の金属が好ましく用いられる。又、定着ローラ１０の回転時に受ける繰り返しの屈曲応力による金属疲労を防ぐために、ニッケル中にマンガンを添加した部材を用いるのも良い。
【００４２】
発熱層１の厚さは、次の式で表される表皮深さδ［ｍ］より厚く、且つ１ｍｍ以下にすることが好ましい。発熱層１の厚さをこの範囲とすれば、発熱層１が電磁波を効率よく吸収することができるため、効率良く発熱させることができる。
【００４３】
【数１】
2007057672.tif 000003
【００４４】
ここで、ｆは励磁回路の周波数［Ｈｚ］、μは発熱層１の透磁率、κは発熱層１の導電率である。
【００４５】
この表皮深さδは、電磁誘導で使われる電磁波の吸収の深さを示しており、これより深いところでは電磁波の強度は１／ｅ以下になっている。逆にいうと殆どのエネルギーはこの深さまでで吸収されている（図５（Ｂ）に示した発熱層深さと電磁波強度の関係を参照）。
【００４６】
発熱層１の厚さは、より好ましくは０．２〜０．８ｍｍがよい。発熱層１の厚みが上記範囲よりも薄い場合には、ほとんどの電磁エネルギーが吸収しきれないため効率が悪くなる。又、発熱層１が上記範囲よりも厚い場合には、熱容量が大きくなり昇温速度が遅くなる。
【００４７】
弾性層２は、シリコーンゴム、フッ素ゴム、フルオロシリコーンゴム等の、耐熱性、熱伝導率が良い材質が好ましく用いられる。
【００４８】
弾性層２の厚さは、定着画像品質を保証するために０．０５〜３ｍｍであることが好ましい。カラー画像を印刷する場合、特に写真画像等では、被記録材Ｐ上で大きな面積に渡ってベタ画像が形成される。この場合、被記録材Ｐの凹凸或いはトナー層ｔの凹凸に加熱面（離型層３）が追従できないと加熱ムラが発生し、伝熱量が多い部分と少ない部分で画像に光沢ムラが発生する。即ち、伝熱量が多い部分は光沢度が高く、伝熱量が少ない部分では光沢度が低くなる。弾性層２の厚さが上記範囲よりも小さい場合には、上記離型層３が被記録材Ｐ或いはトナー層ｔの凹凸に追従しきれず、画像光沢ムラが発生してしまう。又、弾性層２が上記範囲よりも大きすぎる場合には、弾性層２の熱抵抗が大きくなりすぎ、クイックスタートを実現するのが難しくなる。この弾性層２の厚さは、より好ましくは０．１〜２ｍｍが良い。
【００４９】
弾性層２は、硬度が高すぎると被記録材Ｐ或いはトナー層ｔの凹凸に追従しきれず画像光沢ムラが発生してしまう。そこで、弾性層２の硬度としては６０゜（ＪＩＳ−Ａ）以下、より好ましくは４５゜（ＪＩＳ−Ａ）以下がよい。
【００５０】
弾性層２の熱伝導率λは、２．５×１０-1〜８．４×１０-1Ｗ／ｍ・Ｋであることが好ましい。熱伝導率λが上記範囲よりも小さい場合には、熱抵抗が大きすぎて、定着ローラ１０の表層（離型層３）における温度上昇が遅くなる。熱伝導率λが上記範囲よりも大きい場合には、弾性層２の硬度が高くなりすぎたり、圧縮永久歪みが発生しやすくなる。より好ましくは３．３×１０-1〜６．３×１０-1Ｗ／ｍ・Ｋが良い。
【００５１】
離型層３は、フッ素樹脂、シリコーン樹脂、フルオロシリコーンゴム、フッ素ゴム、シリコーンゴム、ＰＦＡ、ＰＴＦＥ、ＦＥＰ等の離型性且つ耐熱性のよい材料を用いることが好ましい。
【００５２】
離型層３の厚さは１〜１００μｍが好ましい。離型層３の厚さが上記範囲よりも薄い場合には、塗膜の塗ムラが生じ、離型性の悪い部分が発生したり、耐久性が不足するといった問題が発生する。又、離型層３の厚さが上記範囲よりも厚い場合には、熱伝導が悪化する。特に、離型層３に樹脂系の材質を用いた場合は、離型層３の硬度が高くなりすぎて、弾性層２の効果がなくなってしまう。
【００５３】
加圧ローラ３０は、芯金３０ａと、前記芯金周りに同心一体にローラ状に成形被覆させたシリコーンゴム・フッ素ゴム・フッ素樹脂などの耐熱性・弾性材層３０ｂと、を有し、さらに表層には離型層３０ｃを設けてある。
【００５４】
図２に示すように、定着ローラ１０は軸受け４１を介して定着フレーム５０に回転可能に支持されている。加圧ローラ３０は、芯金３０ａの長手方向両端が軸受け４２を介して揺動部材としての加圧フレーム５１に回転可能に支持されている。加圧フレーム５１は定着フレーム５０に固定された支持軸５２により揺動可能に支持され、加圧手段としての加圧スプリング５３により加圧ローラ３０が定着ローラ１０に押圧されるように付勢されている。
【００５５】
定着ローラ１０の一端には、ギア４３が定着ローラ１０と一体で回転するように取付けられている。また、定着ローラ１０はギア４３が第１回転体駆動手段としての定着ローラ回転駆動機構Ｍより駆動力を受けることにより矢示の時計方向に回転駆動される。
【００５６】
２６は温度検知手段としてのサーミスタなどの温度センサであり、定着ローラ１０の温度を検知する。温度センサ２６は定着ローラ１０の長手方向において被記録材Ｐの通紙域（挟持搬送域）Ｗの範囲内に定着ローラ１０と非接触に配置してある。本例では温度センサ２６として非接触タイプのものを用いているが、接触タイプのものを用いてもよい。
【００５７】
４４は加圧解除手段としてのカムであり、短径部４４ａと長径部４４ｂを有する側面略楕円形状をしている。カム４４は定着フレーム５０に回転可能に支持されたカム軸４５の長手方向両側にそれぞれ固定されており、該カム軸４５と一体となって回転するようになっている。カム軸４５の一端にはギア４６がカム軸４５と一体で回転するように取付けられている。また、カム軸４５はギア４６が加圧解除駆動手段としてのカム回転駆動機構Ｍ２より駆動力を受けることにより回転駆動される。
【００５８】
上記のように本例の加熱装置１００は、カム４４の回転により加圧フレーム５１を定着フレーム５０に対し加圧スプリング５３の加圧力に抗して支持軸５２を支点に揺動させることで定着ローラ１０と加圧ローラ３０の当接／離間を行うように構成してある。定着ローラ１０と加圧ローラ３０の当接と離間は、制御手段としての制御部６０の判断により選択的に切換えられる。
【００５９】
制御部６０はＣＰＵとＲＯＭ及びＲＡＭ等のメモリからなり、メモリには当接／離間切換え制御、温調制御、定着ローラ駆動制御、プリント待機モード、装置立上げモード１、装置立上げモード２にそれぞれ対応する各種のプログラムが記憶されている。そしてＣＰＵは上記のプログラムに従い励磁回路２７、定着ローラ回転駆動機構Ｍおよびカム回転駆動機構Ｍ２を制御する。
【００６０】
（４）加熱装置１００の動作説明
制御部６０は、画像形成時には、カム回転駆動機構Ｍ２を駆動させカム軸４５およびギア４６を介してカム４４を回転させて小径部４４ａを加圧フレーム５１に当接させる（図６（Ａ））。加圧フレーム５１は加圧スプリング５３の加圧力によりカム４４側に押し上げられ、加圧ローラ３０が加圧スプリング５３の加圧力により定着ローラ１０に押圧されて接触することによりニップ部Ｎ（図１）が形成される。
【００６１】
次いで、定着ローラ回転駆動機構Ｍを駆動させ定着ローラ１０を矢示の反時計方向（図１）に回転駆動する。この定着ローラ１０の回転駆動によりニップ部Ｎにおいて該定着ローラ１０の表面と加圧ローラ３０の表面との摩擦力で加圧ローラ３０に回転力が作用する。加圧ローラ３０は定着ローラ１０の回転周速度にほぼ対応した周速度をもって矢示の時計方向（図１）に回転状態になる。
【００６２】
次に、励磁回路２７をオン（ＯＮ）させ給電部１８ａ・１８ｂを介して励磁コイル１８に高周波電流の給電を行わせる。そして温度センサ２６からの定着ローラ１０の検知温度に基づき励磁回路２７をオン／オフ（ＯＮ／ＯＦＦ）制御して励磁コイル１８に対する電流供給の制御を行い定着ローラ１０の温度を所定の定着温度（目標温度）に維持するように温調する。
【００６３】
而して、上記のように定着ローラ１０が回転し、励磁回路２７から励磁コイル１８への給電により定着ローラ１０が電磁誘導発熱し、定着ローラ１０が所定の定着温度に立ち上がって温調された状態において、画像形成手段部から搬送された未定着トナー画像ｔが形成された被記録材Ｐがニップ部Ｎに画像面が上向き、即ち定着ローラ面に対向して導入される。この被記録材Ｐはニップ部Ｎにおいて画像面が定着ローラ１０の外面に密着して定着ローラ１０と一緒にニップ部Ｎを挟持搬送されていく。この被記録材Ｐが挟持搬送されていく過程において被記録材Ｐ上の未定着トナー画像ｔが熱と圧力を受けて被記録材Ｐ上に永久固着画像として加熱定着される。被記録材Ｐはニップ部Ｎを通過すると定着ローラ１０の表面から分離して排出搬送されていく。
【００６４】
非画像形成時には、カム回転駆動機構Ｍ２を駆動させカム軸４５およびギア４６を介してカム４４を約１８０°回転させて大径部４４ｂを加圧フレーム５１に当接させる（図６（ｂ））。加圧フレーム５１は加圧スプリング５３の加圧力に抗して押し下げられ、加圧ローラ３０と定着ローラ１０が離間されることによりニップ部Ｎの形成が解除される。
【００６５】
次に、画像形成装置の電源オン・オフにおける加熱装置１００の動作について説明する。
【００６６】
通常、画像形成装置の電源オフ時は加圧ローラ３０と定着ローラ１０を離間してある。
【００６７】
電源オンで定着ローラ１０の加熱を開始し、定着可能状態までウォームアップを行う。定着ローラ１０が所定の温度（定着可能温度）に到達するまで加熱をおこない、画像形成装置がホストコンピュータ等からプリント命令（以下、プリント信号と記す）を受信していれば加熱装置１００はそのままプリント（加熱定着）動作を行う。すなわち、制御部６０は、カム回転駆動機構Ｍ２を駆動して加圧ローラ３０と定着ローラ１０を当接させてニップ部Ｎを形成させ、定着ローラ回転駆動機構Ｍを駆動して定着ローラ１０と加圧ローラ３０を回転させ、ニップ部で被記録材Ｐを挟持搬送させることにより未定着トナー画像ｔの加熱定着を行う。
【００６８】
プリント信号を受信していなければ画像形成装置はプリント待機状態に入る。これに応じて加熱装置１００は未定着トナー画像ｔの定着可能温度に定着ローラ温度を維持するスタンバイ温調をおこなう。すなわち、制御部６０は、プリント待機モードを実行して、カム回転駆動機構Ｍ２による加圧ローラ３０と定着ローラ１０の離間状態を継続させると共に、励磁回路２７による励磁コイル１８への電流制御による定着ローラ１０の温度制御を継続させる。本例での温度制御は定着ローラ１０の連続回転停止状態で行われるが、所定時間毎に定着ローラ１０を所定角度のみ断続的に回転させても良い。
【００６９】
ここでプリント待機モードによる定着ローラ１０の表面温度について説明する。上記のようにプリント待機中は定着ローラ１０と加圧ローラ３０の圧縮永久歪みを防止するため両者を離間させ、騒音防止のため定着ローラ１０の回転を停止させている。
【００７０】
図７は、１８０℃温調で定着ローラ１０が停止した状態と回転している状態の定着ローラ表面温度の状態を比較したグラフである。
【００７１】
停止状態の定着ローラ表面温度は定着ローラ略中央から外側に向かって温度が高くなっており、最外周が１８０℃である。この定着ローラ表面温度は磁場発生手段２０の配置と対応している（図１）。
【００７２】
ここで本発明に関わる加熱装置における磁場発生手段２０の配置について述べる。
【００７３】
定着ローラ１０に対して局所加熱を行うとエネルギーが一部に集中するため発熱域の温度上昇が早くなる。このため、ウォームアップ時間の短縮などには効果があった。
【００７４】
しかし、ニップ部Ｎ（図１）を加熱すると、装置の故障でニップ部に被記録材がある状態で、装置が停止し、かつ、加熱が停止しなかった場合、被記録材が発火したり、発煙を起こしたりすることが考えられる。
【００７５】
そのため、本例では発熱域をニップ部位外に配設することとした。本例のように発熱域をニップ部位外に配設し局所加熱でニップ部以外を加熱することにより、万が一、ニップ部に被記録材が滞留している状態で故障が発生し、かつ、加熱動作が停止しなかった場合でも、ニップ部は加熱されないため、発火や発煙に至ることがない。
【００７６】
さらに、安全装置としての温度検知素子（サーモスタット）２８を図１のように発熱域に対向して配設することができ、万が一、故障が発生した場合でも安全に装置を停止することができる。すなわち、定着ローラ温度の異常上昇時（熱暴走時）の安全対策機構として、定着ローラ１０の上方に温度検知素子２８を設けている。温度検知素子２８は、予め設定された温度になると接点を開放して励磁コイル１８への通電を切断し、定着ローラ１０が所定温度以上の高温となることを防止している。
【００７７】
さらに、定着ローラ１０にゴム層を持つ場合、発熱層１から定着ローラ表面まで熱が伝わるのに時間がかかる。
【００７８】
次に装置立上げモードにおける定着ローラ１０の回転速度について説明する。
【００７９】
定着ローラ１０が回転している場合（定着ローラの回転方向は時計方向）、図７の実線のように、回転中には発熱域と最高温度に達する領域が異なるため、熱伝達時間を考慮してニップ部Ｎ（図１）よりも上流側で加熱域を配設することで、最高温度に達する領域をニップ部にすることができ、無駄な電力消費を低減することができる。しかしプリント待機中に定着ローラ１０を回転させつづけると、ローラ回転による騒音が発生してしまう。
【００８０】
定着ローラ１０を停止した状態での表面温度を図７に破線で示す。停止した状態では温度検知素子２６（図１）が配設してある発熱域を１８０℃で温調すると非発熱域の最も温度が低いところでは９０℃程度にしか維持できない。このため、プリント待機状態から定着可能状態にするまでに、前回転を行い、定着ローラ１０の周方向の温度ムラをなくす必要がある。
【００８１】
ここで、前回転とは、スタンバイ状態から定着可能な状態に定着装置を立ち上げる工程のことである。具体的には、被記録材Ｐが定着装置に到達するまでに回転速度を安定させると同時に、定着装置の温度をプリントするのに適正な温度にする動作のことである。
【００８２】
この前回転の時間は温度ムラがなくなるまでの時間が必要であり、ファーストプリントアウトタイムを短縮するにはできるだけ早く温度ムラを収束させなければならない。本例では前回転時の定着ローラ周速をプリント時の周速より速くし、定着ローラ表面温度を均等化する効果を高めている。
【００８３】
すなわち、制御部６０は、装置立上げモード１を実行して、定着ローラ回転駆動機構Ｍを駆動させ定着ローラ周速をプリント時の周速より速くさせて定着ローラ表面温度を均等化させる。
【００８４】
本例の画像形成装置は普通紙プリントモードでは通常速１４４ｍｍ/ｓｅｃ.の速度で被記録材を搬送し、プリント待機状態からプリントへ移行する際の前回転は前記通常速の４／３速である１９２ｍｍ/ｓｅｃ.でおこなう。
【００８５】
本例では定着ローラ１０と加圧ローラ３０を離間した状態でスタンバイ温調をおこなっているが、画像形成装置がプリント信号を受信すると、これに応じて加熱装置１００は定着ローラ１０と加圧ローラ３０を加圧当接し、前回転を開始してプリント温度に向けて温調をおこなう。すなわち、制御部６０は、装置立上げモード２を実行して、カム回転駆動機構Ｍ２を駆動させ加圧ローラ３０と定着ローラ１０を当接させてニップ部Ｎを形成させ、定着ローラ回転駆動機構Ｍを駆動させ定着ローラ周速をプリント時の周速より速くさせて定着ローラ表面温度を均等化させる。
【００８６】
図８にプリント前回転時における本例の定着ローラ表面温度と、比較例１として前回転をプリント時と同じ定着ローラ周速でおこなった場合の定着ローラ表面温度を示す。
【００８７】
図中の実線で示された定着ローラ表面温度が実施例１のもの、破線で示されたのが比較例１のものである。
【００８８】
前回転が開始されると、加圧ローラ側に熱が流出するため一旦定着ローラ表面温度が落ち込み、電磁誘導加熱により定着ローラの発熱域が発熱しプリント温度に向かって昇温し始める。
【００８９】
実施例１は図中の実線Ｔ１とＢ１に、比較例１は破線Ｔ２とＢ２に沿って昇温する。
【００９０】
ここでＴ１とＴ２は定着ローラ温度リップルの上端温度の推移を、Ｂ１とＢ２は定着ローラ温度リップルの下端温度の推移を示している。
【００９１】
時間の経過に伴い上端温度推移と下端温度推移の距離は次第に小さくなり、最終的にはスタンバイ温調による周方向温度ムラはなくなる。
【００９２】
図８をみると、前回転開始直後においてはプリント待機時のスタンバイ温調による周方向温度ムラが残っており、定着ローラ１周分の周期で温度リップルが発生する。しかし時間の経過に伴い、定着ローラが回転しつつ発熱域が発熱することにより、この温度ムラが均されて温度リップルは減少していく。
【００９３】
しかしながら、プリント時の周速で回転する比較例１の温度リップル減少速度が、プリント時の４／３速の周速で回転する実施例１よりも遅くなる。
【００９４】
これは、定着ローラの円周上のある部分が単位時間当たりに発熱域を通過する回数が、比較例１では実施例１より少ないためである。
【００９５】
逆にいえば、実施例１では速い周速で回転させることにより発熱回数が増え、スタンバイ温調により発生した温度ムラをより短時間で均すことができ、温度リップルをより速く収束させることができる。
【００９６】
本例の画像形成装置では定着ローラ表面の温度差が５℃より大きくなると、定着後のトナー画像にこの温度差に起因するグロスムラ（光沢ムラ）が顕著に現れる。
【００９７】
従って仮に定着ローラ表面温度がプリント温度以上に到達していても、温度リップルが５℃より大きい状態でプリント開始すると、グロスムラのある不良画像が出力される。
【００９８】
よって実際にプリント開始が可能になる条件は、
１）定着ローラ温度  ≧  プリント温度
且つ、
２）定着ローラ温度の周ムラ（リップル）≦  ５℃
となる。
【００９９】
但し、定着ローラ温度はリップルをもっているので、ある時点で上記１）の条件を満たしても、その後再び定着ローラ温度がプリント温度よりも低下する場合がある。
【０１００】
本発明においては、このような場合プリント開始可能とは判断しない。
【０１０１】
すなわち、一旦定着ローラ温度がプリント温度以上に上昇した後、再度プリント温度以下には低下することがない状態となってはじめて上記条件１）を満たしたと判断する。
【０１０２】
ここで、上記を踏まえ図８について確認する。
【０１０３】
まず比較例１であるが、定着ローラの温度自体は前回転開始から約５．５ｓｅｃ．でプリント温度以上に昇温できているが、温度リップル（図中Ｒ２）が５℃より大きい状態でありこの時点でプリント開始することはできない。
【０１０４】
最終的にプリント可能とするためにはこの後空回転して温度リップルを収束させる時間が必要になる。
【０１０５】
一方、実施例１では前回転開始より約６．３ｓｅｃ．でプリント温度まで昇温しており、温度リップル（図中Ｒ１）も５℃以内に減少しているため、この時点でプリント開始可能である。
【０１０６】
実施例１でプリント可能となる６．３ｓｅｃ．の時点においても、比較例１では温度リップル（図中Ｒ３）が５℃より大きいためプリント開始できず空回転を続行しなければならない。
【０１０７】
比較例１が最終的にプリント開始可能となるのは、前回転開始後約８．２ｓｅｃ．後であった。
【０１０８】
このように昇温速度自体は定着ローラ周速が遅い方が速い傾向にあるものの、逆に温度リップルの減少速度が遅くなってしまうため、実際プリント可能になるまでの時間はローラ周速が速い実施例１の方が約１．９ｓｅｃ．短縮されている。
【０１０９】
この結果、プリント待機状態よりプリント状態へ移行する際の前回転速度がプリント時の速度と同じである従来の方法と比較して、実施例１ではファーストプリントアウトタイムの短縮を実現することができた。
【０１１０】
また、実施例１の手法を用いればプリント待機時の加熱装置スタンバイ温調時において、温度ムラ防止目的の定着ローラ空回転が必要なくなるので騒音が発生しない。
【０１１１】
以上のように実施例１ではプリント待機時に特別な動作をおこなう必要がなく、騒音も発生しない非常に簡易なシーケンスでのスタンバイ温調をおこないつつ、ファーストプリントアウトタイムの短縮を可能にすることができた。
【実施例２】
【０１１２】
図９は本実施例の加熱装置１００の要部の横断側面模型図である。
【０１１３】
本例の加熱装置１００は、加圧ローラ３０側にも熱源３１を有し、プリント待機時は加圧ローラ３０をプリント待機モードに基づいてスタンバイ温調をおこなう。
【０１１４】
その他の構成、シーケンスは実施例１と同様であり、再度の説明は省略する。
【０１１５】
加圧ローラ３０の熱源としてハロゲンヒータ３１を芯金３０ａに内包させている。ハロゲンヒータ３１は、加圧ローラ表面温度検知手段としての温度センサ３２による検知温度に基づき制御部６０がヒータ駆動回路（不図示）を駆動してハロゲンヒータ３１に対する通電を制御することで定着温度に温調制御される。
【０１１６】
本例では加圧ローラ側のハロゲンヒータ３１はプリント待機時のスタンバイ温調時のみに用い、プリント前回転開始と同時に消灯する。
【０１１７】
加圧ローラ３０のスタンバイ温調温度は１６０℃であり、定着ローラ１０のスタンバイ温調温度は実施例１と同じく１８０℃（＝プリント温度）である。
【０１１８】
図１０にプリント前回転時における本例の定着ローラ表面温度と、比較例２として実施例１の定着ローラ表面温度を示す。
【０１１９】
実施例２は図中の実線Ｔ３とＢ３に、比較例２（実施例１）は破線Ｔ１とＢ１に沿って昇温する。
【０１２０】
ここでＴ１とＴ３は定着ローラ温度リップルの上端温度の推移を、Ｂ１とＢ３は定着ローラ温度リップルの下端温度の推移を示している。
【０１２１】
実施例２ではプリント待機中に加圧ローラ３０を加熱しているため、前回転開始後の定着ローラ温度落ち込みが比較例２（実施例１）に比較して小さい。
【０１２２】
従って昇温速度は比較例２と同じであるが、プリント温度に到達するまでの時間は短縮される。
【０１２３】
図１０より実施例２では前回転開始より約４．９ｓｅｃ．でプリント温度に到達し、そのときの温度リップル（図中Ｒ４）は５℃以内に収まっている。
【０１２４】
よってこの時点で定着開始可能であり、実施例１の６．３ｓｅｃ．よりも短い昇温時間とすることができ、ファーストプリントアウトタイムを更に短縮することが可能となった。
【実施例３】
【０１２５】
本例ではの加熱装置１００ではプリント待機状態でプリント信号を受信したら、定着ローラ１０と加圧ローラ３０を当接せず、まず離間した状態で前回転を開始する。
【０１２６】
定着ローラ１０の温度が所定温度に到達したら、定着ローラ１０と加圧ローラ３０を当接しプリント温度に定着ローラ１０を温調する。
【０１２７】
上記動作以外は実施例１と同じであり、再度の説明は省略する。
【０１２８】
図１１に上記動作を実施例１、実施例２と比較した動作タイミングチャートを示す。
【０１２９】
図中には画像形成装置の動作状態（待機／プリント）と定着ローラ回転駆動機構Ｍの有する定着モータの回転状態、そして定着ローラ１０と加圧ローラ３０の当接状態が示されている。
【０１３０】
実施例１及び実施例２ではプリント信号のフラグがＯＮになる（ｔ＝ｔ０）と同時に、定着ローラ１０と加圧ローラ３０を当接し、定着モータの回転を開始する。
【０１３１】
一方、実施例３ではｔ＝ｔ０の時点では定着ローラ１０と加圧ローラ３０の当接はおこなわず、定着モータの回転のみ開始する。
【０１３２】
その後ｔ＝ｔ１になった時点で初めて定着ローラ１０と加圧ローラ３０を当接させる。
【０１３３】
ここでｔ１は定着ローラ温度が後述する目標温度１に到達する時間である。
【０１３４】
図１２にプリント前回転時における本例の定着ローラ表面温度と、比較例３として実施例２の定着ローラ表面温度を示す。
【０１３５】
実施例３は図中の実線Ｔ４とＢ４に、比較例３（実施例２）は破線Ｔ３とＢ３に沿って昇温する。
【０１３６】
ここでＴ３とＴ４は定着ローラ温度リップルの上端温度の推移を、Ｂ３とＢ４は定着ローラ温度リップルの下端温度の推移を示している。
【０１３７】
実施例３では始め定着ローラ１０のみを加熱するので、比較例３（実施例２）よりも昇温速度が速く、前回転開始後約２．３ｓｅｃ．で目標温度１に到達する。
【０１３８】
目標温度１はプリント温度＋７℃の１８７℃に設定されている。
【０１３９】
定着ローラ温度が目標温度１に達したら、加圧ローラ３０を当接して引き続き前回転を続ける。
【０１４０】
この時定着ローラ温度は一旦低下した後、実線Ｔ４’とＢ４’に沿って昇温する。
【０１４１】
ここでこれまでと同様に、Ｔ４’は定着ローラ温度リップルの上端温度の推移を、Ｂ４’は定着ローラ温度リップルの下端温度の推移を示している。
【０１４２】
このときの昇温速度は比較例３（実施例２）とほぼ同じになるものの、定着ローラ１０のみの状態である程度リップルが均されているので、加圧ローラ３０を当接してからの温度リップルは比較例３よりも小さくなる。
【０１４３】
従って前回転開始後約３．６ｓｅｃ．で定着ローラ温度がプリント温度に到達した時点での温度リップル（図中Ｒ５）は既に５℃以内に収まっており、プリント可能となる。
【０１４４】
このように前回転途中で定着ローラ１０と加圧ローラ３０を当接することにより、実施例２の４．９ｓｅｃ．よりも更に昇温時間を短縮でき、ファーストプリントアウトタイムを短くすることが可能となった。
【０１４５】
[その他]
１）各実施例では定着ローラ１０の内部に磁場発生手段を持つ電磁誘導加熱方式の加熱装置を例示したが、本発明の像加熱装置は電磁誘導加熱方式に限定されるものではない。例えば、定着ローラや定着フィルム（ベルト）の外部に磁場発生手段を設ける電磁誘導外部加熱方式や、セラミックヒータを用いたフィルム加熱方式、フィルム加熱方式の定着フィルムに弾性層を設けたカラーオンデマンドタイプの加熱装置等、局所加熱でスタンバイ温調をおこなう方式であれば上記説明と同様の効果が得られる。
【０１４６】
図１３に加熱手段（加熱体）として定着ローラ１０の内部にセラミックヒータ２５を用いたヒータ加熱方式の加熱装置の例を示す。セラミックヒータ２５は、細長いセラミック基板２５ａと、この基板２５ａの表面に配置された電極部（不図示）と、この電極部に接続された抵抗発熱体としての抵抗発熱層２５ｂと、を有する。このセラミックヒータ２５は、ニップ部Ｎにおいてホルダ２６に保持されて定着ローラ１０の内面に接触している。そして基板２５ａの背面に配置された温度センサ２９の検知温度に基づき制御部６２がヒータ駆動回路６２を駆動して該ヒータ駆動回路から電極部を通じて抵抗発熱層２５ｂに通電することにより該抵抗発熱層を発熱させて定着ローラ１０を定着温度に温調制御する。２７はホルダ２６を保持する保持ステイである。
【０１４７】
２）各実施例ではスタンバイ温度がプリント温度（定着温度）と等しく設定されているが、消費電力低減や画像形成装置の機内昇温の低減を目的としてスタンバイ温度をプリント温度より低温にした場合、または更なるファーストプリントアウトタイム短縮の目的でスタンバイ温度をプリント温度より高温にした場合にも同様の効果を得ることが可能である。
【０１４８】
３）加えて、画像形成装置スリープモードからの復帰時等、ある程度定着装置の昇温時間を長く取れる場合は、前回転時のローラ周速を本例で用いた周速より遅くし、回転数を少なくして定着ローラ及び加圧ローラの耐久寿命を向上させることもできる。ここで、画像形成装置スリープモードとは、スタンバイよりも低温、低電力で待機する状態のことをいう。従ってプリント可能になるまでの立ち上がり時間は、スタンバイ状態からよりも長くなる。
【０１４９】
４）更に、スタンバイ温調中に所定時間周期で定着ローラの加熱位置を変更することにより、ある程度定着ローラの温度ムラを小さくしておけば、更にファーストプリントアウトタイムが短縮できる。
【０１５０】
５）本発明の像加熱装置は、実施例の加熱装置に限られず、未定着画像を被記録材に仮定着する仮定着装置、定着画像を担持した被記録材を再加熱してつや等の画像表面性を改質する表面改質装置等の像加熱装置としても有効である。
【図面の簡単な説明】
【０１５１】
【図１】実施例１に係わる加熱装置の要部の横断面側面模型図
【図２】同じく要部の正面模型図
【図３】内部に磁場発生手段を配設支持させた右側のホルダの斜視模型図
【図４】電磁誘導発熱性の定着ローラの層構成模型図
【図５】（Ａ）加熱装置の発熱分布を示した図、（Ｂ）は発熱層深さと電磁波強度の関係を示したグラフ
【図６】図１のａ−ａ’断面における加熱装置を示し、（Ａ）は定着ローラと加圧ローラの当接状態を示す要部の模型図、（Ｂ）は定着ローラと加圧ローラの離間状態を示す要部の模型図
【図７】定着ローラの周方向の温度分布を示したグラフ
【図８】実施例１の定着ローラ温度推移を示したグラフ
【図９】実施例２に係わる加熱装置の要部の横断面側面模型図
【図１０】実施例２の定着ローラ温度推移を示したグラフ
【図１１】実施例１、２、３に係わる加熱装置における動作タイミングチャート
【図１２】実施例３の定着ローラ温度推移を示したグラフ
【図１３】本発明を適用したヒータ加熱方式の加熱装置の要部の横断面側面模型図
【図１４】画像形成装置の概略構成模型図
【符号の説明】
【０１５２】
１‥‥発熱層
２‥‥弾性層
３‥‥離型層
４‥‥断熱層
１０‥‥定着ローラ（第１の回転体）
１６‥‥ホルダ
１７ａ，１７ｂ，１７ｃ‥‥磁性コア
２０‥‥磁場発生手段（加熱手段）
２６‥‥温度検知素子
２８‥‥安全素子としての温度検知素子
３０‥‥加圧ローラ（第２の回転体）
６０‥‥制御部
１００‥‥加熱定着装置（加熱装置）
Ｎ‥‥定着ニップ部（ニップ領域）
Ｐ‥‥被記録材
【図１】
2007057672.tif 000004
【図２】
2007057672.tif 000005
【図９】
2007057672.tif 000006
【図１３】
2007057672.tif 000007
【図３】
2007057672.tif 000008
【図４】
2007057672.tif 000009
【図５】
2007057672.tif 000010
【図６】
2007057672.tif 000011
【図７】
2007057672.tif 000012
【図８】
2007057672.tif 000013
【図１０】
2007057672.tif 000014
【図１１】
2007057672.tif 000015
【図１２】
2007057672.tif 000016
【図１４】
2007057672.tif 000017